(57)【要約】【課題】広域災害時の無支援復興体制の強化を目指すものである。広域災害では救援され難く、避難移動（避難路リスク）は、必ずしも安全・安心とは言えない。さらに、避難した場合は、生活の正常化へ回復させることを遅らせることが避けられない。自宅に留まった場合、飲食とともに、生活水準維持（トイレ、洗面、入浴等）することは、必須である。【解決手段】地下より取水された水は、貯水収納ケースへ一時的に溜めあられ、ケース底部に固定された手動給水ポンプにより加圧され、給水ホースを通して分岐し、各階の蛇口固定アッセイにより固定された蛇口へ給水され、利用できる。無尽蔵にある自然界から受けられる光、水を取り出し、蓄えることで、現在社会で整備されているインフラが停止しても最低限の日常生活維持が図れ、復旧期間を短縮することができる。【選択図】  図２
2017008531.tif 000002
【特許請求の範囲】
【請求項１】
手動ポンプにより各階へ給水する為の２個以上を分岐させた蛇口付ホースを備えた防災自立型支援システム
【請求項２】
各階へ給水蛇口を固定する器具を備えた請求項１に記載の防災自立型支援システム
【請求項３】
地下水を取水するポンプと、貯水するタンク若しくはケースを備えた請求項１または２に記載の防災自立型支援システム
【発明の詳細な説明】
【技術分野】
【０００１】
この発明は、広域災害により公的救済支援が受けられなくても、生活基盤の確保ができるようにする為の重要な生活用水の取水と貯水・収納ケース及び給水手動ポンプによる自立生活を支援するシステムである。
【背景技術】
【０００２】
近年、広域災害が発生し、国家を揺るがすほどの甚大な被害が地質歴としてみれば、頻繁に発生している。早急に防災対策としての備えをすることが必要である。東日本大震災は、津波や放射能汚染といった部分があるものの、神戸淡路大震災と同様な防災対策が必要であり、身近にあった情報をもとに、対策できることは幸いと言える。企業に対しては、法令で対策を進めているが、民間に対しては、今のところ自助努力に依存となっている。市町村では、自治会を通して、いろいろな努力はされているが、個人生活と同様に必須なものではあるが、優先順位は低く、お座なりになりがちである。行政、公共機関が、自助、共助、公助の順位を強調している。つまり、「自分の事は、自分で守りなさい。」と。事実、広域において、同時に発生する訳であるから、無理な話でもある。
冷静に考えてみると、人が我慢できない事の順番はどうか。１．呼吸（空気が必要）２．トイレ（水が必要）３．飲み水（飲料水が必要）  トップスリーは、間違いなく確定であろう。ここで、トイレの事を軽視している事が少なくない。簡易トイレなるものが販売されているが、どの程度実用に耐えうるのであろうか。人口集中地域では幸い、水洗トイレが普及しており、バケツ１杯の水があれば、済ませることができる。トイレの為に、寒空の中、給水車に並んでいる事を想像してみよう。並んだお陰で、その内１杯は、冷えた為にすぐ使う事になる。
国内の人口が集中している地域は、イコール、水脈がある地域である。２０メートルも掘れば、表層水を得られる。この水を、利用できる環境に整えることができれば、優先順位の２番は、備えとして確保できる。また、精製して飲料水にすることも不可能ではない。
【先行技術文献】
【特許文献】
【０００３】
【特許文献１】特開２００５−４２４３４
【発明の概要】
【発明が解決しようとする課題】
【０００４】
復興、復旧への近道は自立型志向の防災対策が必須である。被災状況では避難が必要であるが、移住することは生活の正常化へ回復させることを遅らせる。
広域災害では救援され難く、避難移動（避難路リスク）は、必ずしも安全とは言えない。
飲食は、必須であるが、生活水準維持（トイレ、洗面、入浴等）することは、とても重要なことであり、被災生活の精神衛生上、確保したいところである。
【課題を解決するための手段】
【０００５】
この自立型支援システムは、一般外部（電力、上水道）からの補給を受けずに稼働するシステム構成をとる。
第1の発明は、手動ポンプにより各階へ給水する為の２個以上を分岐させた蛇口付ホースを備えた防災自立型支援システムである。
第２の発明は、第1の発明において、各階へ給水蛇口を固定する器具を備えた防災自立型支援システムである。
第３の発明は、第1または第２の発明において、地下水を取水するポンプと、貯水するタンク若しくはケースを備えた防災自立型支援システムである。
【発明の効果】
【０００６】
災害時において、適量の生活用水により、日常に近いライフスタイルをおくる事ができ、避難所生活での不便且つ不満な生活を強いられない。備えがあることは、平時においても、精神的に余裕が生まれる。また、打ち水として、植栽への灌水、清掃・洗浄時の利用、ビオトープ、噴水、ミストによる冷却としても利用できる。
【図面の簡単な説明】
【０００７】
【図１】本発明の一実施形態を示す図である。
【図２】本発明の一実施形態（使用状態）を示す図である。
【発明を実施するための形態】
【０００８】
敷地内に井戸を掘り、適正量を貯水する。また、必要なところ、フロア階まで給水する。本手動ポンプは、軽いストロークで水を送ることができ、１５メートル程度までは、ワンウェイで容易に給水できる。この自立型支援システムは、一般外部（電力、上水道）からの補給を受けずに稼働するシステム構成をとる。
【０００９】
地下２０メートルまでの水（表流水）を手動ポンプで容易に汲み上げることができ、本体は、簡単に地中ユニットに収納でき、空間を確保できる。
【００１０】
以下、本発明の実施形態を説明する。この支援システムは、２つのユニットからなる。１つ目は、井戸（５）からの取水ユニット。２つ目は、地上で貯めた水を各階（２〜５）に給水する貯水・収納ケース（６）、手動ホンプ（１０）、給水ホース（９）、分岐接続チーズ、蛇口（８）、蛇口固定アッセイ（１１）からなる給水ユニットである。
【００１１】
取水ユニットは、地表面に施工されたマンホールの蓋（１）を取り外し、手動ポンプ（３）を引き上げ（５０センチメートル程）て、固定する。給水ユニットは、貯水・収納ケース（６）の中に必要機材がすべて、納まっている。
【００１２】
まず、各階のフロア手すりに蛇口固定アッセイを設置する。図２に示した3階建ての場合は、給水ホース（蛇口付）（８，９）を最上階から、１階用蛇口を先端に下ろし、各階で蛇口固定アッセイ（１１）に接続する。また、例えば、1４階建てといった高層建築の場合は、例えば5階から1階、９階から５階、１４階から９階というように対象により３セットに分けた実施形態をとることもできる。この固定は、蛇口を開ける作業の操作性を得ることと共に、ホース、接続チーズ等の自重を各階単位で分散することができ、保安性も高めている。
【００１３】
まず、手動井戸ポンプ（３）により、貯水・収納ケース（６）に汲み上げる。僅か５０センチ程度の軽いストロークで、毎分１０リットルが得られる。一般的な通称ガチャポンとは、汲み上げ方法が異なり、真空引き限界深度の８メートルを超える２０メートルまで可能である。また、著しく駆動負荷が軽い為、連続運転が可能である。
【００１４】
構造がシンプルにできており、シール材も使用していない為、保守性に優れている。更に、呼び水が不要であることも極めて優位である。貯水・収納ケース（６）に貯められた水は、手動式給水ポンプ（１０）で送ることになるが、このポンプ（１０）は、貯水・収納ケース（６）の中にあり、起こすことで使用できるようになる。取水する蛇口（８）を開放してからポンプ（１０）を動かす。
【００１５】
一度、ポンプシリンダーより押し出された水は、逆支弁（１５）が付いている為、逆流することはない。蛇口固定アッセイ（１１）には、蛇口開放状態を他の階や給水ポンプ運転者に認識できるよう、角型フラップ（１４）が付帯している。これは、蛇口側で、給水状態にすると、給水ポンプ、他蛇口側から目視で、蛇口開放状態を色彩（蛍光材）で容易にわかる。
【００１６】
約１分間程度でバケツ１杯分が給水され、各戸でトレイタンクに補充し利用する。この給水ユニット（６，８，９，１０，１５，１４，１６）をカスケード接続することで、高層マンションでも利用可能である。各階への給水ホースは、非常時にのみ取り付ける為、日常で景観を悪くすることはない。（平時は、装置を隠蔽できる）
【００１７】
取水ユニットは、マンホール内に収納できる為、平時の空間を確保できる。（邪魔にならないようにできる。）電動ポンプを利用する場合は、配管を土壌に埋めることで同程度の環境が得られる。
【００１８】
給水ユニットは、複数ある場合、重ねて倉庫等へ収納できる構造になっており、スペースファクターも高い。
【００１９】
基本的には、非常時利用のものではあるが、井水（地下水）の平時利用として、植栽への灌水、池への補給水、環境温度を下げるミスト散布、打ち水等の使用が考えられる。植栽、池、打ち水等は、地球上で限られた使える貴重な水（上水道）の消費を抑えられる事は、利用者の経費削減のみならず、社会貢献（インフラコスト低減）になると言っても過言でない。
【符号の説明】
【００２０】
１  マンホール蓋    
２  マンホール（筒）              
３  手動汲み上げポンプ            
４  汲み上げポンプ管       
５  井戸            
６  貯水・収納ケース       
８  蛇口            
９  給水ホース             
１０  給水ポンプ           
１１  蛇口固定アッセイ            
１２  マンション建屋       
１４  認識フラップ                       
１５  逆支弁        
１６  汲み上げホース       
【図１】
2017008531.tif 000003
【図２】
2017008531.tif 000004